(57)【要約】      （修正有）【課題】氷片の形成および除去のためのシステムおよび方法を提供する。【解決手段】氷形成トレイ、放出器、および放出器シャフトを含む製氷システムおよび方法である。氷形成トレイは、第１側面および第２側面を有する。放出器は、一体構造および挿入物を含み、一体構造は少なくとも４つの側面で挿入物を取り囲む。放出器シャフトは、氷形成トレイの第１側面と第２側面との間にかかっており、放出器シャフトは放出器の挿入物内の穴を通り抜ける。【選択図】なし【特許請求の範囲】
【請求項１】
第１側面と第２側面とを含む氷形成トレイと、
一体構造と挿入物とを含む放出器であって、前記一体構造が少なくとも４つの側面で前記挿入物を取り囲んでいる放出器と、
前記氷形成トレイの前記第１側面と前記第２側面の間にかかっている放出器シャフトであって、前記放出器の前記挿入物内の穴を通り抜ける前記放出器シャフトと、を備えることを特徴とするシステム。
【請求項２】
前記放出器シャフトが３０度と５０度の間で回転するように構成され、氷片を前記氷形成トレイから動かす、ことを特徴とする請求項１に記載のシステム。
【請求項３】
前記放出器シャフトは、４０度で回転するように構成され、氷片を前記氷形成トレイから動かす、ことを特徴とする請求項１に記載のシステム。
【請求項４】
前記挿入物の前記穴は前記放出器シャフトの平らな側面と接触する平らな側面を含み、前記穴の前記平らな側面は、前記放出器シャフトの周りを回転することから前記放出器を抑制するように構成される、ことを特徴とする請求項１に記載のシステム。
【請求項５】
前記挿入物の断面は、実質的に台形の形状である、ことを特徴とする請求項１に記載のシステム。
【請求項６】
前記氷形成トレイは、氷形成セルの第１壁と第２壁によって少なくとも部分に画定される前記氷形成セルを含み、前記放出器は前記第１壁と前記第２壁の間の間隔の少なくとも４０％に亘っており、前記第１壁は前記第２壁と実質的に平行である、ことを特徴とする請求項１に記載のシステム。
【請求項７】
前記放出器は、前記第１壁と前記第２壁に当接している、ことを特徴とする請求項６に記載のシステム。
【請求項８】
第１壁と第２壁に実質的に平行に進む水流を生成するように構成された水出口をさらに備える、ことを特徴とする請求項１に記載のシステム。
【請求項９】
前記一体構造は、全ての側面で前記挿入物を取り囲み、かつ、第１側面の第１穴と、第２側面の第２穴とを含み、前記第１穴と前記第２穴とは前記挿入物内の前記穴によって分離されている、ことを特徴とする請求項１に記載のシステム。
【請求項１０】
前記一体構造はゴムを含み、前記挿入物は金属を含む、ことを特徴とする請求項１に記載のシステム。
【請求項１１】
前記挿入物の第１密度は、前記一体構造の第２密度超である、ことを特徴とする請求項１に記載のシステム。
【請求項１２】
前記一体構造は反対方向に延びる２つの突起を含む、ことを特徴とする請求項１に記載のシステム。
【請求項１３】
氷形成セルの第２壁と実質的に平行である第１壁を備える氷形成トレイと、
前記第１壁と前記第２壁との間の間隔の少なくとも４０％に亘る放出器と、
前記放出器内の穴を通り抜ける放出器シャフトと、を備えることを特徴とするシステム。
【請求項１４】
前記放出器シャフトが３０度と５０度の間の回転量で第１方向に回転し、中立位置に戻るように別の方向に回転し、前記回転量で他の方向に回転する、ことを特徴とする請求項１３に記載のシステム。
【請求項１５】
前記回転量が４０度である、ことを特徴とする請求項１４に記載のシステム。
【請求項１６】
平面を備える静止パネルをさらに備え、前記静止パネルが前記第１壁と前記第２壁の間の距離に少なくとも亘り、前記静止パネルが前記第１壁と前記第２壁に実質的に垂直である、ことを特徴とする請求項１３に記載のシステム。
【請求項１７】
前記放出器は前記第１壁と前記第２壁に隣接している、ことを特徴とする請求項１３に記載のシステム。
【請求項１８】
前記放出器は一体構造と挿入物とを備え、前記一体構造が少なくとも４つの側面で前記挿入物を取り囲む、ことを特徴とする請求項１３に記載のシステム。
【請求項１９】
前記放出器シャフトは、前記氷形成トレイを通り延びる軸の周りを回転するように構成される、ことを特徴とする請求項１３に記載のシステム。
【請求項２０】
氷形成セルの第２壁と実質的に平行である第１壁を備える前記氷形成セルに水流を提供することであって、放出器が前記第１壁と前記第２壁との間の間隔の少なくとも４０％に亘っている、提供することと、
冷却剤管と直接接触する前記水流の一部を凍らせることで、氷片を作成することと、を含む、ことを特徴とする方法。
【請求項２１】
前記放出器が鈍角で前記第１壁と前記第２壁に隣接する、ことを特徴とする請求項２０に記載の方法。
【請求項２２】
前記氷形成セルの前記第１壁内の第１穴と、前記放出器内の第２穴と、前記氷形成セルの前記第２壁内の第３穴と、を通り抜ける放出器シャフトを回転させて、前記氷片を前記氷形成セルから取り外すことをさらに含む、ことを特徴とする請求項２０に記載の方法。
【請求項２３】
前記放出器は、前記挿入物の第１平面が放出器シャフトの第２平面と接触することで、少なくとも部分に基づき、前記放出器シャフトに対して固定されている、ことを特徴とする請求項２０に記載の方法。
【請求項２４】
前記冷却剤管を通り減圧された冷却剤を供給し、前記水流の前記一部を凍らせることと、
前記冷却剤管を通り圧縮された冷却剤を供給し、前記冷却剤管と触れている表面で前記氷片を加熱することと、をさらに備え、放出器シャフトが前記圧縮された冷却剤を供給することに続いて回転させられる、ことを特徴とする請求項２０に記載の方法。
【請求項２５】
前記氷形成セルに別の水噴霧を提供して、前記氷片を放出することを促進することをさらに含む、ことを特徴とする請求項２０に記載の方法。
【発明の詳細な説明】
【技術分野】
【０００１】
製氷機は氷を作成するための商用または消費者用のデバイスを参照し得る。製氷機は液体の水を凍らせることによって角氷を生成し得る。角氷は、食品、飲み物、および薬のような腐りやすい品目を冷蔵、または腐りやすい品目の腐敗を抑制するために使用され得る。蒸発器は、氷を作成および放出することに直接かかわるコントローラおよびサブフレームと一緒に製氷機に含まれ得る。放出される氷は、貯氷庫内に放出され得る。
【０００２】
製氷機は、薄片氷、角氷、またはチューブ状氷のような種々のタイプの氷を生成し得る。薄片氷は、ブラインおよび水の混合物で作製され得、および、場合によっては、ブライン水から直接作製され得る。チューブ製氷機は、取り囲むケーシング内に垂直に延ばされるチューブの中の水を凍らせることによって氷を生成し得る。角製氷機は、チューブ製氷機および薄片氷と対照的に、小さい氷機として分類され得る。しかしながら、角製氷機も、大規模で造られ得る。角氷を造る製氷機は、垂直モジュール式デバイスとして考えられる。上側部分は蒸発器であり、および下側部分は氷容器である。冷却剤は、パイプの内側を循環され得る。冷却剤は、熱交換において、熱を水から伝導する。水は、角氷に凍り得る。水が氷に完全に凍らされるとき、氷は氷容器内に落ちるように落下され得る。
【発明の概要】
【０００３】
本開示は、氷片の形成および除去のためのシステムおよび方法を提供する。システムは、氷形成トレイ、放出器、および放出器シャフトを含み得る。氷形成トレイは、第１側面および第２側面を含み得る。放出器は、一体構造および挿入物を含み得る。一体構造は、少なくとも４つの側面上で挿入物を包囲し得る。放出器シャフトは、氷形成トレイの第１側面と第２側面との間に渡され得る。放出器シャフトは、放出器の挿入物内の鍵穴を通り抜け得る。
【図面の簡単な説明】
【０００４】
本開示の多くの態様は、以下の図面を参照してより理解され得る。図面の構成要素は、縮尺で描く必要はなく、その代わりに開示の原理を明確に示すことに重点を置いている。さらに、図面において、同じ参照数字が、いくつかの図を通して対応する部品を示している。
【０００５】
【図１】図１は、本開示の種々の実施形態に係る、製氷システムの例の概略図である。
【０００６】
【図２】図２は、本開示の種々の実施形態に係る、氷片（示されず）を取り外す巧みな操縦を実行する氷形成組立体の例である。
【０００７】
【図３】図３は、本開示の種々の実施形態に係る、図２の氷形成組立体用の放出器シャフトに設けられた複数の放出器の図面である。
【０００８】
【図４Ａ】図４Ａー図４Ｃは、本開示の種々の実施形態に係る、種々のギャップ幅を備える氷形成組立体を示す。
【図４Ｂ】図４Ａー図４Ｃは、本開示の種々の実施形態に係る、種々のギャップ幅を備える氷形成組立体を示す。
【図４Ｃ】図４Ａー図４Ｃは、本開示の種々の実施形態に係る、種々のギャップ幅を備える氷形成組立体を示す。
【０００９】
【図５Ａ】図５Ａおよび図５Ｂは、本開示の種々の実施形態に係る、図３の放出器シャフト上に設けられる、実質的にダイヤモンド形状の断面を備える挿入物のために構成された放出器の例を示す。
【図５Ｂ】図５Ａおよび図５Ｂは、本開示の種々の実施形態に係る、図３の放出器シャフト上に設けられる、実質的にダイヤモンド形状の断面を備える挿入物のために構成された放出器の例を示す。
【００１０】
【図６Ａ】図６Ａー図６Ｂは、本開示の種々の実施形態に係る、図３の放出器シャフト上に設けられる、実質的に正方形形状の断面を備える挿入物のために構成された放出器の例を示す。
【図６Ｂ】図６Ａー図６Ｂは、本開示の種々の実施形態に係る、図３の放出器シャフト上に設けられる、実質的に正方形形状の断面を備える挿入物のために構成された放出器の例を示す。
【００１１】
【図７Ａ】図７Ａー図７Ｂは、本開示の種々の実施形態に係る、図３の放出器シャフト上に設けられる、傾斜面と同等の形状の２つの側面を備える挿入物のために構成された放出器の例を示す。
【図７Ｂ】図７Ａー図７Ｂは、本開示の種々の実施形態に係る、図３の放出器シャフト上に設けられる、傾斜面と同等の形状の２つの側面を備える挿入物のために構成された放出器の例を示す。
【００１２】
【図８Ａ】図８Ａー図８Ｂは、本開示の種々の実施形態に係る、図３の放出器シャフト上に設けられる、実質的にＤ形状の挿入物のために構成された放出器の例を示す。
【図８Ｂ】図８Ａー図８Ｂは、本開示の種々の実施形態に係る、図３の放出器シャフト上に設けられる、実質的にＤ形状の挿入物のために構成された放出器の例を示す。
【００１３】
【図９Ａ】図９Ａー図９Ｃは、本開示の種々の実施形態に係る、図３の放出器シャフト上に設けられる、パドル形状の挿入物のために構成された放出器の例を示す。
【図９Ｂ】図９Ａー図９Ｃは、本開示の種々の実施形態に係る、図３の放出器シャフト上に設けられる、パドル形状の挿入物のために構成された放出器の例を示す。
【図９Ｃ】図９Ａー図９Ｃは、本開示の種々の実施形態に係る、図３の放出器シャフト上に設けられる、パドル形状の挿入物のために構成された放出器の例を示す。
【００１４】
【図１０Ａ】図１０Ａおよび図１０Ｂは、本開示の種々の実施形態に係る、放出器シャフトの断面に相当する形状の穴を備え、挿入物なしで形成された放出器の例を示す。
【図１０Ｂ】図１０Ａおよび図１０Ｂは、本開示の種々の実施形態に係る、放出器シャフトの断面に相当する形状の穴を備え、挿入物なしで形成された放出器の例を示す。
【発明を実施するための形態】
【００１５】
商業使用のための製氷機のような、製氷機のための本システムおよび方法の種々の実施形態が以下に記載されている。以下の議論において、システムおよびその構成要素の一般の記載が提供され、続いて、システムおよびその構成要素の操作の議論がされる。特定の実施形態が記載されているが、これらの実施形態は、システムおよび方法の単なる代表的な実施である。当業者は、可能である他の実施形態を認めるだろう。全てのそのような実施形態は、この開示の範囲内に入るように意図される。ここでは、開示は上記図面を参照して記載されることになるが、本願明細書に開示された１つの実施形態または複数の実施形態にそれを制限する意図はない。それに対して、意図は、開示の精神および範囲内に含まれる全ての代替物、変更物、および均等物に及ぶことになる。
【００１６】
図１に関しては、本開示の種々の実施形態に係る、製氷システム１００の例の概略図が示されている。製氷システム１００は、記載されることになるように、本願明細書に示される氷形成ユニット、または他のシステムと併せて使用され得る。いくつかの実施形態において、製氷システム１００は、生成される氷片を生成および貯留する自己完結型システムの一部であり得、氷片は、以下、氷片１３０と称される。
【００１７】
製氷システム１００は、氷形成組立体１０３、コンプレッサ１１５、膨張バルブ１２１、給水装置１０６、氷容器１２４、および可能な他の構成要素を含み得る。給水装置１０６は、氷片１３０の形成のために使用される液体水流１２７を提供し得る。このため、給水装置１０６は、例えば、建築物構造における、水栓、ホース、バルブ、蛇口、または任意の他のタイプの水接続と連通にあり得る。いくつかの実施形態において、給水装置１０６は、フィルタ、または他の構成要素を含み得、建築物構造によって提供される水から汚染物を除去する。種々の実施形態によれば、水流１２７は、氷形成組立体１０３に、しずくでたらされる水、噴出された水、吹きかけられる水、霧でかけられる水、または任意の他の仕方で供給される水であり得る。
【００１８】
氷形成組立体１０３は、氷片１３０が生成される、製氷システム２００の一部であり得る。種々の実施形態において、氷形成組立体１０３は、１以上の氷形成トレイ１０９、１以上の蒸発器管１１２、および可能な他の構成要素を含み得る。氷形成トレイ１０９は、水流１２７を受け取る氷形成組立体１０３の構成要素である。氷形成トレイ１０９は、生成される氷片１３０の形状を決定または影響し得る。いくつかの実施形態によれば、氷形成トレイ１０９は、１以上の氷形成セル（示されていない）を含み得る。
【００１９】
さらに以下で論述されることになるように、蒸発器管１１２は、氷形成トレイ１０９の少なくとも一部分内に配置され得る。そういう意味で、蒸発器管１１２は、氷形成トレイ１０９を通り延び得る。蒸発器管１１２は、冷却剤を受容し、かつ決まったルートで走らせる中空構造であり得る。中空構造は、蒸発器管１１２内に内部施条を含み得る。内部施条は、冷却剤が中空構造内で渦を巻くようにさせ得、冷却剤のすみからすみまで熱をより均等に分配し得る。蒸発器管１１２は、金属、または他の食品安全材料、例えば、ステンレス鋼、スズ浸漬銅等から作製され得る。
【００２０】
冷却剤は、当業者によって理解され得るような、冷凍サイクルで使用される任意のタイプの流体であり得る。製氷システム１００は、冷却剤の物理的性質を利用し得、蒸発器管１１２の温度を少なくとも一部の水流１２７を冷凍可能なレベルまで低くする。したがって、蒸発器１１２は、蒸発器管１１２と直接接触するようになる少なくとも一部の水流１２７を冷凍するように構成され得る。例として、冷却剤は、蒸発器管１１２を介して熱エネルギを吸収し得、少なくとも一部の水流１２７の温度を氷点と一致するまで、または氷点以下になるまで低くする。
【００２１】
コンプレッサ１１５は、蒸発器管１１２および濃縮器管１１８と連通している。一実施形態において、コンプレッサ１１５は、冷却剤を濃縮器管１１８内で加圧し、蒸発器管１１２と濃縮器管１１８との間の圧力差を生成する。コンプレッサ１１５は、冷却剤を蒸発器管１１２から受容し、冷却剤を濃縮器管１１８内に圧縮するように構成される、製氷システム１００の補足システムであり得る。このように、濃縮器管１１８は、蒸発器管１１２内における冷却剤の圧力より高い圧力で冷却剤を受容し、かつ決まったルートを走らせる中空構造であり得る。
【００２２】
膨張バルブ１２１は、濃縮器管１１８から蒸発器管１１２に移行している冷却剤を制御する、製氷システム１００の補足システムであり得る。後で論述されることになるように、濃縮器管１１８内の相対的に高い圧力から蒸発器管１１２内の相対的に低い圧力での冷却剤の移行は、蒸発器管１１２の温度を低くし得ることで、氷片１３０の生成を促進する。
【００２３】
次に、製氷システム１００の種々の構成要素の運転の一般の説明を提供する。製氷システム１００に動力が供給され、水流１２７が流れ、および蒸発器管１１２に冷却剤が供給されることが想定される。
【００２４】
コンプレッサ１１５は、冷却剤を蒸発器管１１２から濃縮器管１１８にポンプで流し得る。冷却剤を濃縮器管１１８内に押し込むことで、濃縮器管１１８内の圧力が上昇することになる。冷却剤流体の圧縮によって生成した熱は、濃縮器管に移動され得、いくらかの熱は、周囲環境内に放熱され得る。
【００２５】
濃縮器管１１８内の相対的に高い圧力での冷却剤で、膨張バルブ１２１は、蒸発器管１１２に移行している濃縮器管１１８内の高圧の冷却剤流体の少なくとも一部分を促進し得る。蒸発器管１１２内で相対的に低圧状態のため、冷却剤は、蒸発器管１１２に曝されるにあたり、膨張バルブ１２１の出口で減圧および膨張し得る。冷却剤流体のこの減圧は、低くされる蒸発器管１１２の温度という結果になる。
【００２６】
コンプレッサ１１５は、それから、再び、冷却剤を蒸発器管１１２から濃縮器管１１８内に圧縮し得、および上記の冷凍サイクルが繰り返され得る。したがって、蒸発器管１１２の温度は、水流１２７内の水を冷凍することができるレベルに低下され得る。
【００２７】
図２を見ると、巧みな操作を実行する氷形成組立体２００の例が示されており、氷片１３０（示されていない）を氷形成トレイ１０９および蒸発器管１１２から取り外す。氷形成組立体２００は、製氷システム１００の氷形成組立板１０３であり得る（図１）。氷形成組立体２００は、氷形成トレイ１０９、蒸発器管１１２の一部、および放出シャフト２１２に設けられた放出器２０３を含み得る。
【００２８】
さらに以下で論述されることになるように、蒸発器管１１２は、氷形成トレイ１０９の少なくとも一部内に配置され得る。個々の氷片（示されていない）は、氷形成セル２１８内に形成され得る。氷形成セル２１８は、蒸発器管１１２の少なくとも一部、およびデバイダ２２１であり得る２つの壁を含み得る。氷形成セル２１８は、静止傾斜面２２４および放出傾斜面２２７をさらに含み得る。静止傾斜面２２４は、また、静止パネルとも呼ばれ得る平面であり得る。いくつかの実施形態において、水は蒸発器管１１２と直接接触し、水を急速に冷却するので、水は製氷サイクルの間に静止パネル伝いに凍ることができない。このように、蒸発器管と直接接触する水と組み合わされた静止パネルを使用することは、増加した水流を氷形成セル２１８に提供し得、静止パネル伝いの氷蓄積を軽減する。別の実施形態において、静止傾斜面２２４は、水平隆起を含む。
【００２９】
種々の実施形態において、放出傾斜面２２７は、放出器２０３を含んでいる。いくつかの態様において、放出傾斜面２２７は、第1部分傾斜面２０６、および第２部分傾斜面２０９をさらに含み得、放出器２０３は第１部分傾斜面２０６と第２部分傾斜面２０９との間に配置される。いくつかの実施形態において、放出傾斜面２２７は、静止傾斜面２２４と実質的に同じ形状である。例において、氷形成セル２１８は、第１デバイダ２２１ａの一部分および第２デバイダ２２１ｂの一部分、静止傾斜面２２４の一部分および放出傾斜面２２７の一部分を含み得、静止傾斜面２２４と放出傾斜面２２７の間に配置された蒸発器管１１２の一部分を備える。氷形成組立体２００は、第１側面２３０および第２側面２３３を有し、氷片が両側面上における氷形成セル２１８内で同時に形をなすことを可能にする。
【００３０】
以下の記載は、放出器２０３の１つだけに言及するが、同様のプロセスが同様に他の放出器２０３によって実行され得ることは理解される。氷形成組立体２００は、第１部分傾斜面２０６と第２部分傾斜面２０９によって取り囲まれた放出器２０３を示す。放出器２０３は、２つの氷片１３０を取り外すに回転され得る。特に、図２は、２つの氷片１３０を氷形成トレイ１０９および蒸発器管１１２から取り外すことができる放出器２０３の回転を示している。このため、放出器シャフト２１２は、矢印２１５で示されるような方向に回転し得る。
【００３１】
いくつかの実施形態において、放出器シャフト２１２は、放出器２０２を第１方向に第１量で回転させ得、および放出器２０２を他の方向に第２量で回転させ得る。第２量は、への放出器シャフト２１２の戻りに相当する第２量の前半を有する第１量の二倍近く高くあり得る。１つの例において、放出器シャフト２１２は、第１方向に４０度まで回転し、氷片の第１セットを動かす。それから、放出器シャフト２１２は、反対の方向に４０度まで回転し、中立位置に戻る。次に、放出器シャフト２１２は、反対の方向に別の４０度回転し、氷片の第２のセットを動かす。それから、放出器シャフト２１２は、第１方向に４０度まで回転し、中立位置に戻る。さらに別の実施形態において、放出器シャフト２１２は、３０度と５０度の間で第１方向に回転し、中立位置に戻り、３０度と５０度の間で他の方向に回転し、および中立位置に戻る。
【００３２】
放出器２０３が放出器シャフト２１２と共に回転するので、放出器２０３の第１端部２０１は、蒸発器管１１２の第１直線部分２３６ａに対して変位する。同時に、放出器２０３の第２端部２０２は、蒸発器管１１２の第２直線部分２３６ｂに対して変位する。示されるように、放出器２０３の第１端部２０１の変位量は、放出器２０３の第２端部２０２の変位量と反対方向にある。放出器２０３の第１端部２０１の変位量は、蒸発器管１１２の第１直線部分２１３ａおよび氷形成トレイ１０９の第１側面２３０から離れて、第１氷片１３０（示されていない）を動かし得る。同様に、放出器２０３の第２端部２０２の変位量は、蒸発器管１１２の第２直線部分２１３ｂおよび氷形成トレイ１０９の第２側面２３３から離れて、第２氷片１３０（示されていない）を動かし得る。氷片１３０が蒸発器管１１２および氷形成トレイ１０９から取り外されるとき、氷片１３０は、例えば、氷容器１２４内に落ち得る。
【００３３】
図３に関しては、複数の放出器２０３の図面が示されており、本願明細書で放出器２０３ａ―２０３ｈとして称され、放出器シャフト２１２に設けられている。放出器２０３を備える放出器シャフト２１２は、氷形成組立体１０３の一部であり得、および少なくとも氷形成トレイ１０９と共に組み立てられるとき、放出傾斜面２２７を形成するように構成され得る。放出器２０３は、放出器幅３０３を有し得る。放出器２０３は、分離距離３０６で離間され得る。放出器シャフト２４２の断面は、Ｄ形状、正方形、六角形、または他の形状であり得、氷形成トレイ１０９の穴内で自由回転を可能にすることになる。放出器シャフト２１２は、氷形成トレイ１０９の側面においける穴の１つ（示されていない）内に挿入されるように構成され得る。さらに、放出器シャフト２１２は、放出器シャフト２１２によって画定される軸の周りを回転し得る。このように、放出器シャフト２１２の端部は、リンクに固定的に連結され得る。リンクは、スロットを含み得、放出器シャフト２１２の回転を促進する。
【００３４】
図４Ａを見ると、本開示の種々の実施形態に係る製氷システム１００（図１）のための氷形成トレイ４００の例が示されている。氷形成トレイ４００は、放出器ギャップ４０３を示しており、放出器２０３は、第１部分傾斜面２０６と第２部分傾斜面２０９との間で取り外される。デバイダギャップ４０６はデバイダ２２１の間、例えば、デバイダ４０９とデバイダ４１２の間の空間の全長を示す。放出器２０３と共に組み立てられ、放出傾斜面２２７を形成するとき、放出器ギャップ４０３は、実質的に放出器２０３の幅３０３であり、放出器幅３０３は、所定の隙間で放出器ギャップ４０３未満である。放出器シャフト２１２（示されない）は、小さい穴（例えば、小さい穴４１８）内に挿入され得、放出器ギャップ４０３内に放出器２０３を配置し、および放出器２０３を回転する手段を提供する。蒸発器管１１２（示されていない）は、氷形成組立体１０９の一部として、大きな穴（例えば、大きな穴４２１）と通り挿入され得る。
【００３５】
放出器ギャップ４０３は、デバイダ４０６の距離の３０％であり得る。放出器２０３は、放出器ギャップ４０３の距離と実質等しい放出器幅３０３を有し得る。一例の実施形態によれば、放出器幅３０３は、放出器ギャップ４０３の距離と実質的に等しい。この例において、放出器幅３０３は、１ミリメートルまたは放出器ギャップ４０３の距離未満小さくあり得る。氷形成組立体２００（図２）は、氷形成トレイ４００、および放出器ギャップ４０３の距離と実質的に同等の幅を有する放出器２０３を含み得る。氷片１３０が氷形成セル２１８内で凍るとき、氷片１３０は、氷形成セル２１８から離れる力を必要とし得る。せん断力は、氷片１３０をデバイダ４０９および４１２から引き離し得る。力は、少なくとも静止傾斜面２２４と蒸発器管１１２から剥がすように適用され得る。
【００３６】
分離力は、氷片１３０を放出器２０３、第１部分傾斜面２０６、および第２部分傾斜面２０９から引き離し得る。回転の間の放出器２０３の回転力は、氷片を放出器２０３から離れるように動かしうる。この回転力は、氷片１３０を放出器２０３から引き離すために必要とされる分離力を減少させ得る。しかしながら、第１部分傾斜面２０６および第２部分傾斜面２０９は回転しないので、分離力は放出器から回転力によって減少されない。氷片１３０を第１部分傾斜面２０６および第２部分傾斜面２０９から分離するために必要とされる分離力は、第１部分傾斜面２０６および第２部分傾斜面２０９の寸法を減少させ得、または第１部分傾斜面２０６および第２部分傾斜面２０９を取り除き得る。
【００３７】
図４Ｂを見ると、本開示の種々の実施形態に係る、製氷システム１００（図１）のための氷形成トレイ４３０の例が示されている。氷形成トレイ４３０は、氷形成トレイ４００の放出器ギャップ４０３より幅広の放出器ギャップ４３３を含み得る。一実施形態において、放出器ギャップ４３３は、デバイダギャップ４０６の距離の少なくとも４０％であり得る。別の実施形態において、放出器ギャプ４３３は、デバイダギャップ４０６の距離の少なくとも６０％であり得る。さらに別の実施形態において、放出器ギャプ４３３は、デバイダギャップ４０６の距離の少なくとも８０％であり得る（図４Ａ）。放出器ギャップ４３３の幅および放出器幅３０３の増加は、氷片１３０と遭遇する放出器の表面積を増加させる。また、幅を増加させることは、氷片１３０と遭遇する第１部分傾斜面２０６および第２部分傾斜面２０９の表面積を減少させる。したがって、氷片１３０を取り外すために必要な力は、放出器幅３０３を増加させることによって、および／または第１部分傾斜面２０６および第２部分傾斜面２０９の幅を減少させることによって、減少し得る。
【００３８】
氷形成組立体２００（図２）は、放出器ギャップ４３３の距離と実質的に同等の幅を備える、氷形成トレイ４３０および放出器２０３を含み得る。氷片１３０が氷形成セル２１８内で凍るとき、氷片１３０は、氷形成セル２１８から引き離すための力を必要とする。せん断力は、氷片１３０をデバイダ４０９および４１２から引き離し得る。力は、少なくとも静止傾斜面２２４および蒸発器管１１２から剥がし得る。
【００３９】
図４Ｃを見ると、本開示の種々の実施形態に係る、製氷システム１００（図１）のための氷形成トレイ４６０の例が示される。氷形成トレイ４６０は、放出器ギャップ４６３を含み得る。氷形成トレイ４６０は、第１部分傾斜面２０６および第２部分傾斜面２０９、のような部分傾斜面を省略し得、例えば、放出器ギャップ４６３はデバイダ４０９とデバイダ４１２の間におよんでいる。放出器幅３０３は、放出器ギャップ４６３の寸法と実質的に同等であり得る。２つのデバイダ４０９／４１２の間に形成された氷形成セル２１８において、放出器２０３は、氷片１３０をデバイダ４０９／４１２から剥がすようなせん断力を提供する。放出器２０３は、分離力および回転／動かす力の両方を提供し、他の力の間で、放出器２０３から氷片１３０を自由に剥がす。氷形成トレイ４６０において、氷片１３０を移動させるために必要とされる力の量は、部分傾斜面２０６および２０９のような傾斜面を取り除くことで、氷形成トレイ４００および４３０に対して大幅に減少し得る。
【００４０】
次に、図５Ａを参照すると、本開示の種々の例の実施形態に係る、製氷システム１００（図１）のための放出器５００ａが示されている。図５Ａは、組み立てられた放出器５００ａを示している。放出器５００ａは、氷形成組立体２００（図２）中の放出器２０３であり得る。放出器５００ａは、氷形成トレイ４００、４３０、または４６０の放出器ギャップ４０３、４３３、または４６３に相当する寸法に合わせて作られ得る。１つの幅を備えて示されているが、放出器５００ａの幅は、氷形成セル中の放出器ギャップの実質的な全長より狭く、または広くあり得る。放出器５００ａは、挿入物５０６を備える一体構造５０３を含み得る。一体構造５０３は、水が接触する傾斜面５０９を有し得る。挿入物５０６は、鍵穴５１８を含み得る。水は、傾斜面５０９上で凍り得、氷形成セル２１８内で氷片１３０を生成する。
【００４１】
挿入物５０６は一体構造５０３と異なる材料から作製される。いくつかの実施形態において、挿入物５０６は、一体構造５０３より高密度を有する材料で作製される。挿入物５０６は金属合金、または他の材料であり得る。一体構造５０３は、プラスチック、ゴム、ポリマー、または他の材料で作製され得る。一実施形態によれば、挿入物５０６は突き出し型内に置かれ、および一体構造５０３は挿入物５０６の周りに材料を注入することによって形成される。別の実施形態において、挿入物５０６は一体構造５０３内にプレス加工される。
【００４２】
次に、図５Ｂを参照すると、本開示の種々の例の実施形態に係る、製氷システム１００（図１）のための放出器５００ａが示されている。図５Ｂにおいて、図５Ａからは放出器５００ａにおける構成要素が分離され、かつ放出器シャフト２１２の一部と共に例証されて示されている。
【００４３】
放出器シャフト２１２は、挿入物５０６内に鍵穴５１８を通して挿入され得る。鍵穴５１８は、放出器シャフト２１２の断面輪郭に相当するように形状化され得、および、きつい隙間で放出器シャフト２１２上にぴったりと合うように寸法を合わせて作られ得る。放出器シャフト２１２の断面は、氷形成トレイ１０９の穴４１８内で自由回転を可能にすることになり、およびトルクが印可されるとき、挿入物が放出器シャフト２１２と共に回転することになるように固定されることになる、任意の断面輪郭幾何学を有し得る。例えば、放出器シャフトの断面輪郭は、軸の周りで自由回転を可能にすることになる、平らな側面（Ｄ形状）、正方形、六角形、または他の形状を有する円形であり得る。
【００４４】
実施形態において、放出器シャフト２１２は、挿入物５０６の鍵穴５１８の平らな側面５１５と接触することによって、放出器シャフト２１２に対して放出器２０３の回転を抑制するように構成された、Ｄシャフトと呼ばれる、平らな側面５１２を有する円形であり得る。放出器２０３が挿入物５０６の増加した密度のため、単一のプラスチック材料であるなら、放出器シャフト２１２は、大きな回転力を挿入物５０６に提供し得る。挿入物５０６の増加した密度は、放出器２０３の平らな側面５１５を取り外すことから放出器シャフト２１２を抑制し得る。挿入物５０６の高密度材料は、氷片１３０上に力を提供するように回転するとき、一体構造５０３に支持構造を提供し得る。
【００４５】
挿入物５０６は、一体構造５０３に対してトルクを加えられるとき、取り除くことから挿入物を抑制するように、種々の形状に形成され、または固定され得る。一体構造５０３が挿入物５０６より低密度を有するので、一体構造５０３および挿入物５９６の鍵交差の形状は、放出器シャフト２１２と挿入物５０６の間の鍵交差よりせん断力のため大きな支持を提供するように設計され得る。
【００４６】
挿入物５０６の断面は、菱形のような引き延ばされたダイヤモンド形状の形態で一体構造５０３に固定され得る。断面は、放出器シャフト２１２に垂直な面で引き延ばされたダイヤモンドの形状で実質的にあり得る。いくつかの実施形態において、引き延ばされたダイヤモンド形状は傾側面を有し得る。例えば、挿入物５０６の側面は、放出器シャフト２１２の最も厚い部分に相当する、傾斜側面の中心に最も近接して厚い材料を提供するように傾斜され得る。いくつかの実施形態において、引き延ばされたダイヤモンド形状の断面は、わずかに凹状、または凸状である側面を有し得る。他の実施形態において、引き延ばされたダイヤモンド形状の断面は、直線状の側面を有し得る。傾斜面５０９は、挿入物５０６の鈍角に相当し得る。
【００４７】
図６Ａに関しては、本開示の種々の実施形態に係る、放出器５００ｂが示されている。放出器５００ｂは、一体構造６０３および挿入物６０６を含み得る。放出器５００ｂは、一体構造の中に４つの異なる方向の１つで挿入され得る。挿入物６０６は、一体構造６０３と異なる材料で作製される。いくつかの実施形態において、挿入物６０６は、一体構造６０３より高密度の材料で作製される。挿入物６０６は、金属合金、または他の材料であり得る。一体構造６０３は、プラスチック、ゴム、ポリマー、または他の材料で作製され得る。一実施形態によれば、挿入物６６０は突き出し型内に配置され、および一体構造６０３は挿入物６０６の周りに材料を注入することで形成される。別の実施形態において、挿入物６０６は、一体構造６０３の中にプレス加工される。
【００４８】
図６Ｂに関しては、本開示の種々の例の実施形態に係る、放出器５００ｂが示される。図６Ｂにおいて、図６Ａからは放出器５００ｂにおける構成要素が、分離され、かつ放出器シャフト２１２の一部と共に例証されて示される。挿入物６０６は、放出器シャフト２１２に垂直な方向において、実質的に正方形断面を有し得る。いくつかの実施形態において、断面の縁は、直線状であり得、他において、縁は、曲線状であり得る。一実施形態によれば、放出器５００ｂは、互いに共通の方向に挿入される。一例において、平らな側面５１５は、一体構造６０３の左部、右部、上部、または下部のいずれかに方向付けられることができ、および全ての平らな側面５１５は、上部または下部、または右部および左部に方向づけられ、全ての放出器５００ｂが放出器シャフト２１２に対して同じ寸法で方向付けられることを確保する。
【００４９】
図７Ａに関しては、本開示の種々の実施形態に係る、放出器５００ｃが示されている。放出器５００ｃは、一体構造７０３および挿入物７０６を含み得る。挿入物７０６は、一体構造７０３の傾斜面５０９と同様に形状化された２の側面を有し得る。実施形態において、一体構造７０３の厚さは、各側面の大きい部分のため実質的に均一である。
【００５０】
挿入物７０６は、一体構造７０３と異なる材料で作製される。いくつかの実施形態において、挿入物７０６は一体構造７０３より高密度を有する材料で作製される。挿入物７０６は金属合金、または他の材料であり得る。一体構造７０３は、プラスチック、ゴム、ポリマー、または他の材料で作製され得る。一実施形態によれば、挿入物７０６は突き出し型内に配置され、および一体構造７０３は挿入物７０６の周りに材料を注入することで形成される。別の実施形態において、挿入物７０６は、一体構造７０３の中にプレス加工される。挿入物７０６の高密度材料は、氷片１３０上に力を提供するように回転するとき、一体構造７０３に支持構造を提供する。一実施形態において、プラスチック一体構造７０３は、金属挿入物７０６に基づき大きな力を提供し得る。
【００５１】
図７Ｂに関しては、本開示の種々の例の実施形態に係る、放出器５００ｃが示されている。図７Ｂにおいて、図７Ａからは放出器５００ｃにおいて構成要素が、分離され、および放出器シャフト２１２の一部と共に例証され示されている。
【００５２】
図８Ａに関しては、本開示の種々の実施形態に係る、放出器５００ｄが示されている。放出器５００ｄは、一体構造８０３および挿入物８０６を含み得る。いくつかの実施形態において、挿入物８０６は、氷を引き離すために高い力を必要とする金属で作製される。この実施形態において、水が、放出器５００ｄと、第１部分傾斜面２０６、第２部分傾斜面２０９、デバイダ４０９、またはデバイダ４１２との間を通過するなら、水は挿入物８０６よりむしろ側面構成要素８０９と接触することになり、氷片１３０を移動させるために必要とされる力を最小にする。側面構成要素８０９は、例えば、放出器５００ａ−ｅのような、本願明細書に開示された放出器２０３の任意の他の実施形態に含まれ得る。
【００５３】
いくつかの実施形態において、挿入物８０６は、一体構造８０３より高密度を有する材料で作製される。挿入物８０６は、金属合金、または他の材料であり得る。一体構造８０３は、プラスチック、ゴム、ポリマー、または他の材料で作製され得る。一実施形態によれば、挿入物８０６は突き出し型内に配置され、および一体構造８０３は挿入物８０６の周りに材料を注入することで形成される。別の実施形態において、挿入物８０６は、一体構造８０３の中にプレス加工される。挿入物８０６の高密度材料は、氷片１３０上に力を提供するように回転するとき、一体構造８０３に支持構造を提供し得る。一実施形態において、プラスチック一体構造８０３は、金属挿入物８０６に基づき大きな力を提供し得る。
【００５４】
図８Ｂに関しては、本開示の種々の例の実施形態に係る、放出器５００ｄが示されている。図８Ｂにおいて、図８Ａからは放出器５００ｄにおいて構成要素が、分離され、および放出器シャフト２１２の一部と共に例証され示されている。一体構造８０３は、放出器５００ｄ内の鍵穴５１８に相当する挿入物８０６の２つの側面部分を覆う側面構成要素８０９を含み得る。側面構成要素８０９は、挿入物８０６と接触することから水を抑制し得る。挿入物８０６は、放出器シャフト２１２に垂直方向においてＤ形状断面を有し得る。Ｄ形状は、丸い角を有し得る。いくつかの実施形態において、断面の縁は直線であり得、他において、縁は曲線であり得る。
【００５５】
図９Ａに関しては、本開示の種々の実施形態に係る、放出器５００ｅが示されている。放出器５００ｅは一体構造９０３および挿入物９０６を含み得る。放出器５００ｅは、引き延ばされた形状を有する挿入物９０６で、対称につり合いのとれた傾斜形状を有し得る。挿入物９０６は、鍵穴５１８で実質的に円形の中心部分９０９、および円形の中心部分９０９の２つの側部から同一平面において放射している平らな実質的に長方形の伸長部９１２ａおよび９１２ｂを有し得る。
【００５６】
図９Ｂに関しては、本開示の種々の実施形態に係る、放出器５００ｅが示されている。図９Ｂは、放出器シャフト２１２に垂直な平面における放出器５００ｅの断面を示している。
【００５７】
図９Ｃに関しては、本開示の種々の実施形態に係る、放出器５００ｅが示されている。図９Ｃは、放出器シャフト２１２に平行な平面における放出器５００ｅの断面を示しており、挿入物９０６は、実質的に長方形であり得、一体構造９０３内とぴったり合う。挿入物９０６は、放出器シャフト２１２に対して平行な平面において放出器５００ｅの幅より短い幅を有し得る。幅は、放出器材料が距離９１５によって挿入物９０６を取り囲むように異なり得る。いくつかの実施形態において、距離９１５は放出器５００ｅの全幅の５％である。他の実施形態において、距離９１５は少なくとも３ミリメートルである。
【００５８】
ここで、図１０Ａを見ると、本開示の種々の実施形態に係る、放出器１０００ａが示されている。放出器２０３は挿入物なしで作製され得る。放出器１０００ａは、傾斜面５０９を有する鍵穴１０１８ａと共に形成され得る。鍵穴１０１８ａは、Ｄ形状の放出器シャフト２１２に相当するＤ形状である。
【００５９】
図１０Ｂに関しては、本開示の種々の実施形態に係る、放出器１０００ｂが示されている。放出器１０００ｂは、鍵穴１０１８ａと共に形成され得る。一実施形態において、鍵穴１０１８ｂは、正方形放出器シャフト２１２に適応するように正方形である。鍵穴１０１８ｂ、および放出器２１２の形状は、例えば、挿入物５０３、６０３、または７０３の形状のような別の形状であり得る。正方形放出器シャフト２１２は、シャフト形状のため、Ｄ形状放出器シャフト２１２と比較して放出器に大きなトルクを提供し得る。Ｄ形状放出器シャフト２１２は、第１トルクが印可されるとき鍵穴１０１８ａを取り外し得、および正方形放出器シャフト２１２は、第２トルクが印可されるとき鍵穴１０１８ａを取り外し得る。第１トルクは第２トルク未満である。
【００６０】
フレーズ「Ｘ、Ｙ、またはＺの少なくとも１つ」のような分離的な用語は、特に、他に述べられていないなら、項目、用語等がＸ、Ｙ、またはＺのいずれか、またはそれらの任意の組み合わせ（例えば、Ｘ、Ｙ、および／またはＺ）であり得ることを示す一般に使用されるような文脈で、さもなければ理解される。したがって、そのような分離的な用語は、特定の実施形態が、各々示すような、Ｘの少なくとも１つ、Ｙの少なくとも１つ、またはＺの少なくとも１つを要求することを、意味するように一般に意図されていない、または意味するべきではない。
【００６１】
本開示の上記実施形態は、開示の原理の明確な理解を明らかにする実施の単なる可能な例であることが強調されるべきである。多くの変形および変更は、開示の精神と原理から実質的に逸脱することなしに上記実施形態になされ得る。全てのそのような変更および変形は、この開示の範囲内において本願明細書に含まれ、および以下の請求項によって保護されるように意図される。
【図１】
2019032153.tif 000002
【図２】
2019032153.tif 000003
【図３】
2019032153.tif 000004
【図４Ａ】
2019032153.tif 000005
【図４Ｂ】
2019032153.tif 000006
【図４Ｃ】
2019032153.tif 000007
【図５Ａ】
2019032153.tif 000008
【図５Ｂ】
2019032153.tif 000009
【図６Ａ】
2019032153.tif 000010
【図６Ｂ】
2019032153.tif 000011
【図７Ａ】
2019032153.tif 000012
【図７Ｂ】
2019032153.tif 000013
【図８Ａ】
2019032153.tif 000014
【図８Ｂ】
2019032153.tif 000015
【図９Ａ】
2019032153.tif 000016
【図９Ｂ】
2019032153.tif 000017
【図９Ｃ】
2019032153.tif 000018
【図１０Ａ】
2019032153.tif 000019
【図１０Ｂ】
2019032153.tif 000020
【外国語明細書】
2019032153000001.pdf